(57)【要約】【課題】店内を移動しているお客様に積極的に商品等の情報を提示すること。【解決手段】投影系21〜25を備えた複数のサイネージ装置（10Ａ〜10Ｄ）を含む表示システムにおいて、マスタ機のＣＰＵ32により、複数台の装置（10Ａ〜10Ｄ）の表示部の前を移動する人物の位置を各撮像部ＩＭで検出させ、検出した人物の位置に応じて複数の表示装置の投影系21〜25で画像を表示させ、画像を表示させた(ｎ−１)台の装置（10Ａ〜10Ｄ）の投影系21〜25に対する、人物の視認状態を各撮像部ＩＭで検出させ、検出した人物の状態と人物の位置に応じて表示装置の投影系21〜25でさらなる画像を表示させる。【選択図】図２
2016118816.tif 000002
【特許請求の範囲】
【請求項１】
表示部を備えた複数の表示装置を含む表示システムであって、
上記複数の表示装置の表示部の前を移動する人物の位置を検出する第１の検出部と、
上記第１の検出部で検出した人物の位置に応じて上記複数の表示装置の表示部で画像を表示させる第１の表示制御部と、
上記第１の表示制御部で画像を表示させた上記複数の表示装置の表示部に対する、人物の状態を検出する第２の検出部と、
上記第２の検出部で検出した人物の状態と、上記第１の検出部で検出した人物の位置と、に応じて上記表示装置の表示部で画像を表示させる第２の表示制御部と、
を有することを特徴とする表示システム。
【請求項２】
上記第１の検出部及び上記第２の検出部は、上記複数の表示装置それぞれに設けられており、
上記第１の検出部は、人物の移動速度を合わせて検出し、
上記第２の表示制御部は、上記第１の検出部で検出した人物の移動速度に応じ、上記１台の表示装置の表示部で画像を表示させるタイミングを制御する、
ことを特徴とする請求項１記載の表示システム。
【請求項３】
上記第２の検出部は、上記人物の顔の向き、及び視線の少なくとも一方を検出することを特徴とする請求項１または２記載の表示システム。
【請求項４】
上記複数ｎ台の表示装置は、それぞれ音声を出力する拡声部をさらに備え、
上記第２の表示制御部は、最下流側の１台の表示装置の表示部で画像を表示させると同時に同表示装置の拡声部で音声を出力させる、
ことを特徴とする請求項１乃至３いずれか記載の表示システム。
【請求項５】
上記第１の表示制御部は、（ｎ−１）台の表示装置の表示部で複数の商品の画像を表示させ、
上記第２の検出部は、（ｎ−１）台の表示装置の表示部で表示される複数の商品の画像中で人物に最も注視された商品の画像を検出し、
上記第２の表示制御部は、上記第２の検出部で検出した商品の画像と対応する画像を１台の表示装置の表示部で表示させる、
ことを特徴とする請求項１乃至４いずれか記載の表示システム。
【請求項６】
表示部を備えた複数の表示装置を含むシステムでの表示方法であって、
上記複数の表示装置の表示部の前を移動する人物の位置を検出する第１の検出工程と、
上記第１の検出工程で検出した人物の位置に応じて上記複数の表示装置の表示部で画像を表示させる第１の表示制御工程と、
上記第１の表示制御工程で画像を表示させた上記複数の表示装置の表示部に対する、人物の状態を検出する第２の検出工程と、
上記第２の検出工程で検出した人物の状態と、上記第１の検出工程で検出した人物の位置と、に応じて上記表示装置の表示部で画像を表示させる第２の表示制御工程と、
を有することを特徴とする表示方法。
【請求項７】
表示部を備えた複数の表示装置を含むシステム内のコンピュータが実行するプログラムであって、上記コンピュータを、
上記複数の表示装置の表示部の前を移動する人物の位置を検出する第１の検出部、
上記第１の検出部で検出した人物の位置に応じて上記複数の表示装置の表示部で画像を表示させる第１の表示制御部、
上記第１の表示制御部で画像を表示させた上記複数の表示装置の表示部に対する、人物の状態を検出する第２の検出部、及び
上記第２の検出部で検出した人物の状態と、上記第１の検出部で検出した人物の位置と、に応じて上記表示装置の表示部で画像を表示させる第２の表示制御部、
として機能させることを特徴とするプログラム。
【発明の詳細な説明】
【技術分野】
【０００１】
本発明は、例えば店舗内で商品画像を表示する装置等に好適な表示システム、表示方法及びプログラムに関する。
【背景技術】
【０００２】
従来、商品画面を利用する利用者の商品画面への注視結果をこの商品画面での表示形態にフィードバックし、利用者に好適な画面表示を提供するべく、注視された商品の画像を強調して表示するようにした技術が提案されている。（例えば、特許文献１）
【先行技術文献】
【特許文献】
【０００３】
【特許文献１】特開２０１２−０２２５８９号公報
【発明の概要】
【発明が解決しようとする課題】
【０００４】
上記特許文献に記載された技術では、商品の一覧画像中で利用者に注視された商品を強調した表示に代えるような処理を実行している。この種の装置は、店舗内の商品売り場に設置されるもので、足を止めて提示内容を視聴して戴ける利用者を前提としており、足を休めずに装置前を移動するような、より多くの一般的な利用者（来店客）には対応していない。
【０００５】
本発明は上記のような実情に鑑みてなされたもので、その目的とするところは、店内を移動しているお客様に積極的に商品等の情報を提示することが可能な表示システム、表示方法及びプログラムを提供することにある。
【課題を解決するための手段】
【０００６】
本発明の一態様は、表示部を備えた複数の表示装置を含む表示システムであって、上記複数の表示装置の表示部の前を移動する人物の位置を検出する第１の検出部と、上記第１の検出部で検出した人物の位置に応じて上記複数の表示装置の表示部で画像を表示させる第１の表示制御部と、上記第１の表示制御部で画像を表示させた上記複数の表示装置の表示部に対する、人物の状態を検出する第２の検出部と、上記第２の検出部で検出した人物の状態と、上記第１の検出部で検出した人物の位置と、に応じて上記表示装置の表示部で画像を表示させる第２の表示制御部と、を有することを特徴とする。
【発明の効果】
【０００７】
本発明によれば、店内を移動しているお客様に積極的に商品等の情報を提示することが可能となる。
【図面の簡単な説明】
【０００８】
【図１】本発明の一実施形態に係るサイネージ装置単体の外観構成を示す斜視図。
【図２】同実施形態に係るサイネージ装置単体の主として電子回路の機能構成を示すブロック図。
【図３】同実施形態に係る複数のサイネージ装置を隣接して有線接続し、表示システムを構築した場合の接続方法の一例を示す図。
【図４】同実施形態に係るマスタ機となるサイネージ装置のＣＰＵが実行する処理内容を示すフローチャート。
【図５】同実施形態に係る４台のサイネージ装置からなる表示システム前を移動する人物と各サイネージ装置でのコンテンツ再生状態を例示する図。
【図６】同実施形態に係る４台のサイネージ装置からなる表示システム前を移動する人物と各サイネージ装置でのコンテンツ再生状態を例示する図。
【発明を実施するための形態】
【０００９】
以下、本発明を店舗で使用されるサイネージシステムに適用した場合の一実施形態について、図面を参照して説明する。
【００１０】
図１は、同システムを構成する複数のサイネージ装置１０単体の外観構成を示す斜視図である。サイネージ装置１０は、プロジェクタ技術を用いた電子マネキンであり、装置筐体１１の上面前端側に、交換可能な矩形状のサイネージボードＳＢ（表示部）が立設される。
【００１１】
サイネージボードＳＢは、装置筐体１１の上面に設けられた、図示しないリアプロジェクション方式の投影レンズから出射された光像が背面側から投影されることで画像を表示する。
【００１２】
このサイネージボードＳＢの下部には複数、ここでは４個の操作ボタンＢ１〜Ｂ４を合わせて投影しており、当該ボタン中のいずれかを閲覧者がタッチ操作した場合、ボード取付け基部に配列された、それぞれが指向性を有するライン状の赤外線センサアレイにより当該操作位置が検知可能となっている。
【００１３】
さらに装置筐体１１の前面には、このサイネージ装置１０の前面側の環境を撮影するための広角光学系の撮像部ＩＭと、人感センサＰＥとを備える。
【００１４】
次に図２により上記サイネージ装置１０単体の主として電子回路の機能構成を説明する。コンテンツメモリ２０には予め各種商品に関するそれぞれ長短２バージョンのコンテンツデータが記憶される。これらコンテンツデータはそれぞれ、画像データ及び音データ等から構成される。コンテンツデータ中の画像データは、後述するＣＰＵ３２により読出され、システムバスＢＳを介して投影画像駆動部２１に送られる。
【００１５】
上記投影画像駆動部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００１６】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００１７】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。光源部２３が有するＬＥＤは、広義でのＬＥＤとして、ＬＤ（半導体レーザ）や有機ＥＬ素子を含むものとしても良い。
【００１８】
また、ＬＥＤから出射された光を蛍光体に照射することで励起される、元の光とは波長が異なる原色光を用いるものとしても良い。この光源部２３からの原色光が、ミラー２４で全反射して上記マイクロミラー素子２２に照射される。
【００１９】
そして、マイクロミラー素子２２での反射光で光像が形成され、形成された光像が投影レンズ部２５を介して上記サイネージボードＳＢの背面に投射される。
【００２０】
上記撮像部ＩＭは、サイネージ装置１０の正面方向を向いた広角系の撮影レンズ部２７、及びこの撮影レンズ部２７の焦点位置に配設された固体撮像素子であるＣＭＯＳイメージセンサ２８を含む。
【００２１】
ＣＭＯＳイメージセンサ２８で得られる画像信号は、Ａ／Ｄ変換器２９でデジタル化された後、撮影画像処理部３０に送られる。
【００２２】
この撮影画像処理部３０は、上記ＣＭＯＳイメージセンサ２８を走査駆動して撮影動作を実行させ、撮影により得た画像データをデータファイル化して、後述するＣＰＵ３２に送出する。
【００２３】
また撮影画像処理部３０は、例えば得られる画像のコントラスト評価値に基づいて上記撮影レンズ部２７の一部を構成するフォーカスレンズの位置をレンズ光軸に沿って可変制御し、最もコントラスト評価値の高い位置を合焦位置とする自動合焦動作を実行させて、対象物までの距離情報を取得すると共に、その自動合焦動作に伴う撮影画像中の対象物の位置、範囲、経時的な位置の変化から対象物の大きさや移動速度等を検出する。
【００２４】
さらに撮影画像処理部３０は、ＣＰＵ３２の制御の下に、撮影により得た画像データが示す画像中から人物の顔認識処理を行ない、顔部分の画像領域を抽出すると共に、当該人物の視線方向を抽出する。
【００２５】
上記各回路の動作すべてをＣＰＵ３２が制御する。このＣＰＵ３２は、メインメモリ３３及びプログラムメモリ３４と直接接続される。メインメモリ３３は、例えばＳＲＡＭで構成され、ＣＰＵ３２のワークメモリとして機能する。プログラムメモリ３４は、電気的書換可能な不揮発性メモリ、例えばフラッシュＲＯＭで構成され、ＣＰＵ３２が実行する動作プログラムや各種定型データ等を記憶する。
【００２６】
ＣＰＵ３２は、上記プログラムメモリ３４に記憶されている動作プログラムや定型データ等を読出し、メインメモリ３３に展開して記憶させた上で当該プログラムを実行することにより、このサイネージ装置１０自体及び後述するような他のサイネージ装置１０を統括して制御する。
【００２７】
上記ＣＰＵ３２は、操作部３５からの操作信号に応じて各種投影動作を実行する。この操作部３５は、サイネージ装置１０の本体に備える、電源キーを含むいくつかの操作キーのキー操作信号、または上記サイネージボードＳＢの一部に仮想的に投影する操作ボタンＢ１〜Ｂ４への操作を検出する、上記赤外線センサアレイからの検出信号を受付け、受付けた操作に応じた信号を上記ＣＰＵ３２へ送出する。
【００２８】
上記ＣＰＵ３２はさらに、上記システムバスＢＳを介して音処理部３６、無線ＬＡＮインタフェース（Ｉ／Ｆ）３８、有線インタフェース（Ｉ／Ｆ）４０、上記人感センサＰＥと接続される。  
音処理部３６は、ＰＣＭ音源等の音源回路を備え、投影動作時に上記コンテンツメモリ２０から読出されるコンテンツデータ中の音データをアナログ化し、スピーカ部３７を駆動して放音させ、あるいは必要によりビープ音等を発生させる。
【００２９】
無線ＬＡＮインタフェース３８は、無線ＬＡＮアンテナ３９を介して図示しない最寄りの無線ＬＡＮルータと接続し、データの送受を行なう。
【００３０】
有線インタフェース４０は、例えば隣接する他のサイネージ装置１０と有線接続することによりデータの送受を行なう。
【００３１】
人感センサＰＥは、例えば焦電型赤外線センサと受光レンズ光学系で構成され、上記撮像部ＩＭでの撮影範囲内に人物が存在するか否かを検出する。
【００３２】
図３は、上記サイネージ装置１０を複数台、例えば３台以上隣接して有線接続し、表示システムを構築した場合の接続方法の一例を示す。同図では、上記システムを構成する一部のサイネージ装置１０Ａ，１０Ｂ，１０Ｃの筐体背面側において、デイジーチェーン状のパラレルインタフェース接続を行なうものとして、ケーブルＣＶ１，ＣＶ２により有線接続した状態を示している。
【００３３】
次に上記実施形態の動作について説明する。  
図４は、複数台、例えば４台のサイネージ装置１０Ａ〜１０Ｄを図３で示した如く接続して、１台のマスタ機と３台のスレーブ機とによる表示システムを構築した場合に、マスタ機となるサイネージ装置１０Ｘ（Ｘ＝Ａ〜Ｄのいずれか）のＣＰＵ３２がプログラムメモリ３４から読出した動作プログラムをメインメモリ３３に展開して実行する処理内容である。
【００３４】
その当初、マスタ機のＣＰＵ３２は、４台のサイネージ装置１０Ａ〜１０Ｄでそれぞれ連動して撮像部ＩＭにより各端末前に位置する人物の画像撮影を連続して実行させ、得られる時系列の画像データに対する顔認識処理とその位置の経緯を判断することで、各サイネージ装置１０Ａ〜１０Ｄで再生するコンテンツを視聴している人物、及び操作ボタンＢ１〜Ｂ４等を操作している人物の数をカウントする（ステップＳ１０１）。
【００３５】
このカウント結果を集計するマスタ機のＣＰＵ３２は、足を止めている人物の数が「０（ゼロ）」で、且つサイネージ装置１０を操作している人物の数も「０（ゼロ）」であるか否かにより、本システム前を移動する人物を対象としたアイキャッチ再生を行なえる状態か否かを判断する（ステップＳ１０２）。
【００３６】
ここで足を止めている人物が少なくとも一人存在するか、またはサイネージ装置１０を操作している人物が少なくとも一人存在し、本システム前を移動する人物を対象としたアイキャッチ再生を行なえる状態ではないと判断した場合（ステップＳ１０２のＮｏ）、マスタ機のＣＰＵ３２は、各サイネージ装置１０Ａ〜１０Ｄにてそれぞれ予め設定されているデフォルトの広告商品に関するコンテンツデータを再生した上で（ステップＳ１０３）、再び上記ステップＳ１０１からの処理に戻る。
【００３７】
こうしてステップＳ１０１〜Ｓ１０３の処理を繰返し実行し、各サイネージ装置１０Ａ〜１０Ｄにてそれぞれ予め設定されているデフォルトの広告商品に関するコンテンツデータを再生しながら、アイキャッチ再生を行なえる状態となるのを待機する。
【００３８】
その後、サイネージ装置１０Ａ〜１０Ｄの前で足を止めている人物が一人もおらず、且つサイネージ装置１０を操作している人物も一人もいないと判断した場合（ステップＳ１０２のＹｅｓ）、マスタ機のＣＰＵ３２は、本システム前を移動する人物を対象としたアイキャッチ再生を行なえる状態となったものとして、次に各サイネージ装置１０Ａ〜１０Ｄの特に両端に位置するサイネージ装置１０Ａ，１０Ｄの各人感センサＰＥの検出出力と、各撮像部ＩＭで得た画像により、サイネージ装置１０Ａの撮像部ＩＭで得られる画像の右端側から、あるいはサイネージ装置１０Ｄの撮像部ＩＭで得られる画像の左端側からこのシステムの前側に侵入するような、左右いずれかからシステム前の範囲に入ってくる人物が存在するか否かを判断する（ステップＳ１０４）。
【００３９】
ここでシステム前の範囲に入ってくる人物が存在しないと判断した場合（ステップＳ１０４のＮｏ）、再び上記ステップＳ１０１からの処理に戻る。
【００４０】
そしてステップＳ１０４において、サイネージ装置１０Ａの撮像部ＩＭで得られる画像の右端側から、あるいはサイネージ装置１０Ｄの撮像部ＩＭで得られる画像の左端側からこのシステムの前の範囲に入ってくる人物が存在すると判断した時点で（ステップＳ１０４のＹｅｓ）、次にマスタ機のＣＰＵ３２は、その人物の移動方向を基準として、全サイネージ装置１０Ａ〜１０Ｄの４（ｎ＝４）台中、最下流側の一台を除いて、残る上流側の３（＝ｎ−１）台の装置においてそれぞれ異なる商品の短いバージョンのコンテンツデータを再生させる（ステップＳ１０５）。
【００４１】
図５は、人物ＧＳが向かって左端のサイネージ装置１０Ａ側から歩いてきて、サイネージ装置１０Ａ〜１０Ｄ前を矢印Ｗ方向に移動している状態を示す。ここでは人物ＧＳの移動方向Ｗに合わせて、最下流側のサイネージ装置１０Ｄを除いて、上流側の３台のサイネージ装置１０Ａ〜１０Ｃにおいてそれぞれ異なるデジタルカメラの短いバージョンのコンテンツデータを再生している。
【００４２】
このときマスタ機のＣＰＵ３２は、４台のサイネージ装置１０Ａ〜１０Ｄの撮像部ＩＭで得られる画像中の人物ＧＳの経時的な位置の変化からその移動速度を算出する（ステップＳ１０６）。
【００４３】
さらに同ＣＰＵ３２は、当該人物ＧＳの顔認識を行ない、その顔を向けている方向を検出すると共に（ステップＳ１０７）、その視線の方向と注視時間とを検出、計測する（ステップＳ１０８）。
【００４４】
これらの処理結果に基づき、サイネージ装置１０Ａ〜１０Ｃで表示している３つの商品（デジタルカメラ）の中で人物ＧＳが最も興味をもったと思われる商品を選出すると共に（ステップＳ１０９）、人物ＧＳが最下流側のサイネージ装置１０Ｄに到達するタイミングに合わせて、選出した商品に関する長いバージョンのコンテンツデータをサイネージ装置１０Ｄ内のコンテンツメモリ２０より読出させて、そのままサイネージ装置１０Ｄで再生させる（ステップＳ１１０）。
【００４５】
図６は、人物ＧＳの移動方向及び人物ＧＳの位置に応じて最下流側のサイネージ装置１０Ｄで、人物ＧＳが最も注視していたと思われる商品のコンテンツデータを再生している状態を示す。このときにマスタ機のＣＰＵ３２は、主としてサイネージ装置１０Ｄの撮像部ＩＭで得た画像中の人物ＧＳの位置が移動しているか否かにより、当該サイネージ装置１０Ｄで商品のコンテンツを再生させたことにより人物ＧＳの足止めが成功したか否かを判断する（ステップＳ１１１）。
【００４６】
ここで人物ＧＳの位置が移動しておらず、サイネージ装置１０Ｄでの商品のコンテンツ再生により人物ＧＳの足止めが成功したと判断した場合（ステップＳ１１１のＹｅｓ）、当該ＣＰＵ３２は、サイネージ装置１０Ｄでのコンテンツ再生を最後まで実行させた上で（ステップＳ１１２）、再び上記ステップＳ１０１からの処理に戻り、通常のコンテンツ再生状態から次の人物が到来するのを待機する。
【００４７】
また上記ステップＳ１１１において、人物ＧＳの位置が移動しており、サイネージ装置１０Ｄでの商品のコンテンツ再生により人物ＧＳの足止めが成功しなかったと判断した場合（ステップＳ１１１のＮｏ）、当該ＣＰＵ３２は、サイネージ装置１０Ｄでのコンテンツ再生を直ちに停止して再び上記ステップＳ１０１からの処理に戻り、通常のコンテンツ再生状態から次の人物が到来するのを待機する。
【００４８】
以上詳述した如く本実施形態によれば、店内を移動している人物ＧＳに積極的に商品等の情報を提示することが可能となる。
【００４９】
特に上記実施形態では、人物ＧＳの移動速度を算出し、その算出した移動速度に応じて、移動方向の最下流側のサイネージ装置１０Ｄでコンテンツデータを再生するタイミングを合わせるものとしたので、タイミングの設定の仕方によって、より高いアイキャッチ効果を得ることができる。
【００５０】
また上記実施形態では、顔認識技術により人物ＧＳの顔の向きと視線の方向とを検出することで、注視されたと思われる商品の推定を行なうものとしたので、画像撮影の技術分野では広く普及しつつある顔認識技術を応用して注視された商品の推定を行なうことにより、画像処理による負担を軽減しながら、注視された商品の推定が実行できる。
【００５１】
加えて上記実施形態では、コンテンツデータが画像データと音声データとからなり、特に人物ＧＳの移動方向に応じて最下流側に位置するサイネージ装置１０Ｄにおいてそれら画像及び音声からなるコンテンツデータを再生するものとしたので、総合的なコンテンツにより訴求力のある提示を行なうことができる。
【００５２】
さらに上記実施形態では、店舗に設置される表示システムとして、複数の商品の画像を１台の装置を除く他の装置において平行して実施し、それらの商品の中で最も注視されたと推定される商品に関する画像を残る１台の装置において念入りに提示するようにしたため、人物ＧＳの興味の度合いにより当該店舗で直接購買に至る可能性が高く、販売促進上も高い効果を見込むことができる。
【００５３】
なお上記実施形態では、４台のサイネージ装置１０Ａ〜１０Ｄが隣接して設置された表示システムを構成するものとして説明したが、それらの台数を限定するものではなく、また設置環境としてそれぞれのサイネージ装置１０を、所定の間隔を持って設置するものとしても良い。
【００５４】
また上記実施形態では、４台のサイネージ装置１０Ａ〜１０Ｄのうちの一台がマスタ機、他がスレーブ機として機能するものとして説明したが、マスタ機となるサイネージ装置１０は固定しても良いし、または人物ＧＳが移動する方向に合わせて、例えば最上流側のサイネージ装置１０がマスタ機となるなど、各機の機能を遷移させるものとしても良い。
【００５５】
また上記実施形態では、複数のサイネージ装置１０それぞれに、撮像部ＩＭ（第１及び第２の検出部）、及び人感センサＰＥ（第１の検出部）が設けられているので、複数のサイネージ装置１０の一端側又は他端側から人物が進行して来なくても対応可能である。たとえば、複数のサイネージ装置１０の一端側と他端側の間に位置するサイネージ装置１０の前に向かって人物が進行して来て、その後、複数のサイネージ装置１０の一端側又は他端側の何れかの方向に進行して行く場合でも、この人物の進行方向と最下流側のサイネージ装置１０を識別可能である。
【００５６】
また、各サイネージ装置１０Ａ〜１０Ｃで表示している商品の中で人物ＧＳが最も興味をもったと思われる商品を選出してその商品の関連情報を表示するサイネージ装置１０は、複数のサイネージ装置１０の表示部の前を移動する人物の移動方向の下流側であれば良く、最下流側のサイネージ装置１０でなくても良い。
【００５７】
また、撮像部ＩＭ（第１及び第２の検出部）、及び人感センサＰＥ（第１の検出部）は、各サイネージ装置１０Ａ〜１０Ｄに設けられておらず、別体であっても良い。また、撮像部ＩＭ（第１及び第２の検出部）、及び人感センサＰＥ（第１の検出部）は、サイネージ装置１０Ａ〜１０Ｄの数と同一ではなく、例えば２台のサイネージ装置１０に対して１個の割合で設けられていても良い。
【００５８】
さらに、サイネージシステムを構成する複数台のサイネージ装置１０（表示装置）の一部は、横方向に隣接して配置されていなくても良い。例えば、３台のサイネージ装置１０Ａ〜１０Ｃで構築される表示システムにおいて、高さ方向に２台の表示装置１０Ａ、１０Ｂが設けられており、人物の顔の向きが表示装置１０Ａ、１０Ｂの方向を向いている、または表示装置１０Ａ、１０Ｂの前を移動する人物の歩行速度が閾値以下である場合、人物の視線方向を検出し、人物の視線が上側のサイネージ装置１０Ａの表示部を見ているのか、下側のサイネージ装置１０Ｂの表示部を見ているのかを検出し、この検出結果に基づき、人物が見ている方向の表示部の商品のコンテンツデータを、人物の移動方向の最下流側に位置するサイネージ装置１０Ｃの表示部に表示しても良い。
【００５９】
さらに上記実施形態は、店舗で使用されるプロジェクション技術を用いたサイネージシステムに適用した場合について説明したが、画像を投影する装置のみならず、カラー液晶パネルを用いた表示装置等による表示システムにも同様に適用可能となる。
【００６０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６１】
以下に、本願出願の当初の特許請求の範囲に記載された発明を付記する。  
［請求項１］  
表示部を備えた複数の表示装置を含む表示システムであって、  
上記複数の表示装置の表示部の前を移動する人物の位置を検出する第１の検出部と、  
上記第１の検出部で検出した人物の位置に応じて上記複数の表示装置の表示部で画像を表示させる第１の表示制御部と、  
上記第１の表示制御部で画像を表示させた上記複数の表示装置の表示部に対する、人物の状態を検出する第２の検出部と、  
上記第２の検出部で検出した人物の状態と、上記第１の検出部で検出した人物の位置と、に応じて上記表示装置の表示部で画像を表示させる第２の表示制御部と、  
を有することを特徴とする表示システム。  
［請求項２］  
上記第１の検出部及び上記第２の検出部は、上記複数の表示装置それぞれに設けられており、  
上記第１の検出部は、人物の移動速度を合わせて検出し、  
上記第２の表示制御部は、上記第１の検出部で検出した人物の移動速度に応じ、上記１台の表示装置の表示部で画像を表示させるタイミングを制御する、  
ことを特徴とする請求項１記載の表示システム。  
［請求項３］  
上記第２の検出部は、上記人物の顔の向き、及び視線の少なくとも一方を検出することを特徴とする請求項１または２記載の表示システム。  
［請求項４］  
上記複数ｎ台の表示装置は、それぞれ音声を出力する拡声部をさらに備え、  
上記第２の表示制御部は、最下流側の１台の表示装置の表示部で画像を表示させると同時に同表示装置の拡声部で音声を出力させる、  
ことを特徴とする請求項１乃至３いずれか記載の表示システム。  
［請求項５］  
上記第１の表示制御部は、（ｎ−１）台の表示装置の表示部で複数の商品の画像を表示させ、  
上記第２の検出部は、（ｎ−１）台の表示装置の表示部で表示される複数の商品の画像中で人物に最も注視された商品の画像を検出し、  
上記第２の表示制御部は、上記第２の検出部で検出した商品の画像と対応する画像を１台の表示装置の表示部で表示させる、  
ことを特徴とする請求項１乃至４いずれか記載の表示システム。  
［請求項６］  
表示部を備えた複数の表示装置を含むシステムでの表示方法であって、  
上記複数の表示装置の表示部の前を移動する人物の位置を検出する第１の検出工程と、  
上記第１の検出工程で検出した人物の位置に応じて上記複数の表示装置の表示部で画像を表示させる第１の表示制御工程と、  
上記第１の表示制御工程で画像を表示させた上記複数の表示装置の表示部に対する、人物の状態を検出する第２の検出工程と、  
上記第２の検出工程で検出した人物の状態と、上記第１の検出工程で検出した人物の位置と、に応じて上記表示装置の表示部で画像を表示させる第２の表示制御工程と、  
を有することを特徴とする表示方法。  
［請求項７］  
表示部を備えた複数の表示装置を含むシステム内のコンピュータが実行するプログラムであって、上記コンピュータを、  
上記複数の表示装置の表示部の前を移動する人物の位置を検出する第１の検出部、  
上記第１の検出部で検出した人物の位置に応じて上記複数の表示装置の表示部で画像を表示させる第１の表示制御部、  
上記第１の表示制御部で画像を表示させた上記複数の表示装置の表示部に対する、人物の状態を検出する第２の検出部、及び  
上記第２の検出部で検出した人物の状態と、上記第１の検出部で検出した人物の位置と、に応じて上記表示装置の表示部で画像を表示させる第２の表示制御部、  
として機能させることを特徴とするプログラム。
【符号の説明】
【００６２】
１０，１０Ａ〜１０Ｄ…サイネージ装置（表示装置）、
１１…装置筐体、
２０…コンテンツメモリ、
２１…投影画像駆動部、
２２…マイクロミラー素子、
２３…光源部、
２４…ミラー、
２５…投影レンズ部、
２７…撮影レンズ部、
２８…ＣＭＯＳイメージセンサ、
２９…Ａ／Ｄ変換器、
３０…撮影画像処理部、
３２…ＣＰＵ（第１及び第２の表示制御部）、
３３…メインメモリ、
３４…プログラムメモリ、
３５…操作部、
３６…音処理部、
３７…スピーカ部、
３８…無線ＬＡＮインタフェース（Ｉ／Ｆ）、
３９…無線ＬＡＮアンテナ、
４０…有線インタフェース、
Ｂ１〜Ｂ４…操作ボタン、
ＢＳ…システムバス、
ＣＶ１，ＣＶ２…ケーブル、
ＧＳ…人物、
ＩＭ…撮像部（第１及び第２の検出部）、
ＰＥ…人感センサ（第１の検出部）、
ＳＢ…サイネージボード（表示部）。
【図１】
2016118816.tif 000003
【図２】
2016118816.tif 000004
【図３】
2016118816.tif 000005
【図４】
2016118816.tif 000006
【図５】
2016118816.tif 000007
【図６】
2016118816.tif 000008